(57)【特許請求の範囲】
【請求項１】
試料が配置される試料室を備えた透過電子顕微鏡と、
前記試料室に配置される試料支持部を備えた試料ホルダーと、
を含み、
前記透過電子顕微鏡は、前記試料室における前記試料支持部の位置を変更するステージ移動機構を有し、
前記ステージ移動機構は、前記試料室における電子線の進行方向に対して交差する第１方向に前記試料支持部を移動させることによって、前記試料室における前記試料支持部の位置を変更し、
前記ステージ移動機構による前記試料支持部の前記第１方向の移動可能範囲は、第１距離であり、
前記試料ホルダーは、
前記試料支持部が形成された軸部と、
前記試料室における前記試料支持部の位置を変える第１試料支持部移動機構と、
を有し、
前記第１試料支持部移動機構は、前記試料支持部を、前記第１方向に、前記第１距離以下ずつ移動させ、
前記第１試料支持部移動機構による前記試料支持部の前記第１方向の移動可能範囲は、第２距離であり、
前記試料支持部は、前記試料室において電子線を通過させるための開口部を有し、
前記開口部の前記第１方向の大きさは、前記第１距離と前記第２距離との和以上である、透過電子顕微鏡システム。
【請求項２】
請求項１において、
前記透過電子顕微鏡は、前記ステージ移動機構を制御するための制御部を有し、
前記制御部は、前記ステージ移動機構を制御して、前記試料支持部の位置を変更するステージ移動処理を行い、
前記試料支持部は、前記ステージ移動処理によって、前記第１試料支持部移動機構が前記試料支持部を移動させた方向とは反対方向に、前記第１試料支持部移動機構が前記試料
支持部を移動させた距離だけ移動する、透過電子顕微鏡システム。
【請求項３】
請求項２において、
前記制御部は、前記第１試料支持部移動機構が前記試料支持部を移動させたタイミングに基づいて、前記ステージ移動処理を行う、透過電子顕微鏡システム。
【発明の詳細な説明】
【技術分野】
【０００１】
本発明は、試料ホルダーおよび透過電子顕微鏡システムに関する。
【背景技術】
【０００２】
透過電子顕微鏡（Ｔｒａｎｓｍｉｓｓｉｏｎ  Ｅｌｅｃｔｒｏｎ  Ｍｉｃｒｏｓｃｏｐｅ；ＴＥＭ）は、高い空間分解能で観察や分析を行うことが可能なため、微小領域の評価に用いられる。
【０００３】
透過電子顕微鏡では、棒状の試料ホルダーを用いて、試料を試料室内に保持する（例えば、特許文献１参照）。透過電子顕微鏡で観察できる試料サイズは、一般的に、φ３ｍｍ程度に規定されている。透過電子顕微鏡には、試料ステージを高精度に移動させるためのステージ移動機構が設けられている。ステージ移動機構は、規定された試料サイズの範囲で試料を高精度に移動させることができる。
【先行技術文献】
【特許文献】
【０００４】
【特許文献１】特開２００７−６６８３２号公報
【発明の概要】
【発明が解決しようとする課題】
【０００５】
このような透過電子顕微鏡では、ステージ移動機構によって試料が移動できる範囲が、観察可能な範囲に対応している。したがって、このような透過電子顕微鏡では、ステージ移動機構によって試料が移動できる範囲よりも広い範囲の観察が困難であった。
【０００６】
そのため、例えば、φ３ｍｍよりも大きな試料を観察する場合、試料を規定されたサイズ以下に切断し、複数回に分けて観察するなどしなければならなかった。しかしながら、試料を切断すると、試料にダメージを与えてしまったり、試料の切断された部分の情報が失われてしまったりする場合がある。
【０００７】
本発明は、以上のような問題点に鑑みてなされたものであり、本発明のいくつかの態様によれば、透過電子顕微鏡において、広い範囲の観察が可能な試料ホルダーおよび透過電子顕微鏡システムを提供することができる。
【課題を解決するための手段】
【００１６】
（１）本発明に係る透過電子顕微鏡システムは、
試料が配置される試料室を備えた透過電子顕微鏡と、
前記試料室に配置される試料支持部を備えた試料ホルダーと、
を含み、
前記透過電子顕微鏡は、前記試料室における前記試料支持部の位置を変更するステージ移動機構を有し、
前記ステージ移動機構は、前記試料室における電子線の進行方向に対して交差する第１方向に前記試料支持部を移動させることによって、前記試料室における前記試料支持部の位置を変更し、
前記ステージ移動機構による前記試料支持部の前記第１方向の移動可能範囲は、第１距離であり、
前記試料ホルダーは、
前記試料支持部が形成された軸部と、
前記試料室における前記試料支持部の位置を変える第１試料支持部移動機構と、
を有し、
前記第１試料支持部移動機構は、前記試料支持部を、前記第１方向に、前記第１距離以下ずつ移動させ、
前記第１試料支持部移動機構による前記試料支持部の前記第１方向の移動可能範囲は、第２距離であり、
前記試料支持部は、前記試料室において電子線を通過させるための開口部を有し、
前記開口部の前記第１方向の大きさは、前記第１距離と前記第２距離との和以上である。
【００１７】
このような透過電子顕微鏡システムによれば、試料ホルダーの第１試料支持部移動機構が、試料支持部を、第１方向に移動させることができる。これにより、透過電子顕微鏡において、ステージ移動機構による試料支持部の第１方向の移動可能範囲よりも、広い範囲の観察ができる。したがって、例えば、大きな試料を、切断せずに観察することができる。さらに、第１試料支持部移動機構は、試料支持部を、第１距離以下ずつ移動させることができる。これにより、広い範囲を連続して観察することができる。したがって、例えば、大きな試料を観察する際に、広い範囲を途切れることなく観察することができる。
【００１８】
（２）本発明に係る透過電子顕微鏡システムにおいて、
前記透過電子顕微鏡は、前記ステージ移動機構を制御するための制御部を有し、
前記制御部は、前記ステージ移動機構を制御して、前記試料支持部の位置を変更するステージ移動処理を行い、
前記試料支持部は、前記ステージ移動処理によって、前記第１試料支持部移動機構が前記試料支持部を移動させた方向とは反対方向に、前記第１試料支持部移動機構が前記試料支持部を移動させた距離だけ移動してもよい。
【００１９】
このような透過電子顕微鏡システムによれば、第１試料支持部移動機構によって移動した試料支持部の移動分をキャンセルできる。
【００２０】
（３）本発明に係る透過電子顕微鏡システムにおいて、
前記制御部は、前記第１試料支持部移動機構が前記試料支持部を移動させたタイミングに基づいて、前記ステージ移動処理を行ってもよい。
【００２１】
このような透過電子顕微鏡システムによれば、例えば、第１試料支持部移動機構によって移動した試料支持部の移動分を、自動的にキャンセルできる。
【図面の簡単な説明】
【００２２】
【図１】第１実施形態に係る試料ホルダーを模式的に示す側面図。
【図２】第１実施形態に係る試料ホルダーを模式的に示す断面図。
【図３】第１実施形態に係る試料ホルダーの試料支持部を模式的に示す斜視図。
【図４】第１実施形態に係る試料ホルダーの試料支持部移動機構を構成するカムを模式的に示す斜視図。
【図５】第１実施形態に係る試料ホルダーの動作を説明するための図。
【図６】第１実施形態に係る透過電子顕微鏡システムの構成を説明するための図。
【図７】第１実施形態に係る透過電子顕微鏡に、第１実施形態に係る試料ホルダーを装着した状態を示す模式図。
【図８】第１実施形態に係る透過電子顕微鏡システムの動作を説明するための図。
【図９】第１実施形態に係る透過電子顕微鏡の表示部および操作部を模式的に示す図。
【図１０】第２実施形態に係る試料ホルダーを模式的に示す断面図。
【図１１】第２実施形態に係る透過電子顕微鏡システムの動作を説明するための図。
【発明を実施するための形態】
【００２３】
以下、本発明の好適な実施形態について詳細に説明する。なお、以下に説明する実施形態は、特許請求の範囲に記載された本発明の内容を不当に限定するものではない。また以下で説明される構成の全てが本発明の必須構成要件であるとは限らない。
【００２４】
１．第１実施形態
１．１．  試料ホルダー
まず、第１実施形態に係る試料ホルダーについて図面を参照しながら説明する。図１は、第１実施形態に係る試料ホルダー１００を模式的に示す側面図である。図２は、試料ホルダー１００を模式的に示す断面図である。
【００２５】
試料ホルダー１００は、透過電子顕微鏡用の試料ホルダーである。試料ホルダー１００は、ポールピースの横から試料を挿入するサイドエントリー式の試料ホルダーである。試料ホルダー１００は、一般的な試料サイズ（φ３ｍｍ）よりも、大きなサイズ（例えばφ６ｍｍ以上）の試料を保持できるように構成されている。試料ホルダー１００は、図１および図２に示すように、試料支持部（試料ステージ）１０と、軸部２０と、試料支持部移動機構３０と、を含む。
【００２６】
図３は、試料支持部１０を模式的に示す斜視図である。試料支持部１０は、軸部２０の先端に設けられている。試料支持部１０は、開口部１１と、支持板１２と、板ばね１４と、板ばね固定部１７と、を含んで構成されている。
【００２７】
開口部１１は、支持板１２に形成されている。開口部１１は、透過電子顕微鏡の試料室において、電子線を通過させるための貫通孔である。図示の例では、開口部１１の平面形状（電子線の入射方向からみたときの形状）は円であるが、その形状は特に限定されず、例えば、楕円、多角形であってもよい。開口部１１の軸方向（試料ホルダー１００の軸に沿う方向）Ａの大きさＤは、後述する透過電子顕微鏡のステージ移動機構による試料支持部１０の軸方向Ａの移動可能範囲（第１距離）と、試料支持部移動機構３０の軸方向Ａの移動可能範囲（第２距離）との和以上である。具体的には、開口部１１の軸方向Ａの大きさＤは、６ｍｍ程度である。図示の例では、開口部１１の平面形状は、円であり、開口部１１の大きさＤは、当該円の直径である。
【００２８】
支持板１２は、移動シャフト２２の先端に固定されている。支持板１２には、開口部１１の周囲に沿って窪みが形成されている。
【００２９】
板ばね１４は、板ばね固定部１７にビス１６によって固定されている。板ばね１４は、支持板１２の開口部１１と同じ形状および同じ大きさの貫通孔が形成されている。ばね固定部１７は、移動シャフト２２に固定されている。
【００３０】
試料（図示しない）は、支持板１２に形成された開口部１１の周囲の窪みに収容され、板ばね１４によって押さえつけられることによって固定される。透過電子顕微鏡の試料室において、電子線は、開口部１１、試料、および板ばね１４の貫通孔を通過する。
【００３１】
なお、ここでは、試料支持部１０が、試料を、板ばね１４によって固定する場合について説明したが、図示はしないが、試料支持部１０は、例えば、試料を、ねじの締め付け等により固定してもよい。
【００３２】
軸部２０は、図１および図２に示すように、移動シャフト２２と、筒体２４と、を含んで構成されている。
【００３３】
移動シャフト２２は、軸方向Ａに沿って延びる棒状の部材である。移動シャフト２２の一方の端には、試料支持部１０が設けられ、他方の端は、移動シャフト固定部４０に接続されている。移動シャフト２２は、筒体２４の内側に収容されている。移動シャフト２２と筒体２４との間は、透過電子顕微鏡の試料室を真空に保つために、Ｏリング４１で真空シールされている。移動シャフト２２は、直動ガイド３２によって直線的に移動可能に案内されている。移動シャフト２２は、試料支持部移動機構３０の動作によって軸方向Ａに沿って移動する。移動シャフト２２の移動に伴って試料支持部１０が移動する。
【００３４】
筒体２４は、軸方向Ａに沿って延びる筒状の部材であり、内部に移動シャフト２２が移動可能に収容されている。筒体２４の外面には、透過電子顕鏡の試料室を真空に保つためのＯリング４２が装着されている。
【００３５】
試料支持部移動機構３０は、図２に示すように、直動ガイド３２と、移動用つまみ３３と、カム３４と、ローラ３６と、ローラガイド３８と、移動シャフト固定部４０と、を含んで構成されている。
【００３６】
直動ガイド３２は、移動シャフト２２を、軸方向Ａに沿って直線的に移動可能に案内している。直動ガイド３２には、ローラ３６がネジ３７によって固定されている。
【００３７】
移動用つまみ３３は、ネジ３１によってカム３４に固定されている。移動用つまみ３３は、移動シャフト２２を中心軸として回転可能である。
【００３８】
カム３４は、円筒状の部材であり、内側には、直動ガイド３２が収容されている。図４は、カム３４を模式的に示す斜視図である。カム３４には、図４に示すように、階段状のローラ案内孔３５が設けられている。ローラ案内孔３５は、ローラ３６が位置Ｐ１、位置Ｐ２、位置Ｐ３間を移動できるように形成されている。図示の例では、位置Ｐ１は、移動シャフト固定部４０側であり、位置Ｐ３は、試料支持部１０側である。
【００３９】
ローラ３６は、ローラ案内孔３５、およびローラガイド３８の規制孔３８ａに挿入されている。
【００４０】
ローラガイド３８は、筒体２４にネジ３９によって固定されている。ローラガイド３８には、貫通孔が形成されており、当該貫通孔には移動シャフト２２が収容されている。また、ローラガイド３８には、軸方向Ａに沿って延びる規制孔３８ａが設けられている。この規制孔３８ａにローラ３６が挿入されている。したがって、ローラ３６の動きは、この規制孔３８ａによって規制される。すなわち、ローラ３６は、軸方向Ａに沿ってのみ移動可能である。
【００４１】
移動シャフト固定部４０には、移動シャフト２２が接続されている。
【００４２】
ここで、試料支持部移動機構３０の動作について説明する。
【００４３】
移動用つまみ３３をまわすと、移動用つまみ３３と一体となったカム３４が回転して、カム３４のローラ案内孔３５に挿入されているローラ３６が軸方向Ａに沿って移動する。このローラ３６の移動により、ローラ３６に接続されている直動ガイド３２が移動して、移動シャフト固定部４０を軸方向Ａに沿って移動させる。移動シャフト固定部４０が移動することで、移動シャフト２２が移動し、移動シャフト２２の先端部に設けられた試料支持部１０が軸方向Ａに沿って移動する。
【００４４】
図５は、試料ホルダー１００の動作を説明するための図である。図５（Ａ）は、ローラ３６がローラ案内孔３５の位置Ｐ１（図４参照）に位置している場合の試料ホルダー１００を模式的に示す側面図である。図５（Ｂ）は、ローラ３６がローラ案内孔３５の位置Ｐ２に位置している場合の試料ホルダー１００を模式的に示す側面図である。図５（Ｃ）は、ローラ３６がローラ案内孔３５の位置Ｐ３に位置している場合の試料ホルダー１００を模式的に示す側面図である。
【００４５】
図５（Ａ）に示すように、ローラ３６が位置Ｐ１に位置するとき、試料支持部１０（開口部１１の中心）は、筒体２４の先端２５（試料支持部１０側の端部）から距離Ｌ１離れている。ここで、距離Ｌ１は、軸方向Ａにおける、試料支持部１０と筒体２４の先端２５との間の距離である。以下、距離Ｌ２，Ｌ３も同様である。移動用つまみ３３をまわし、ローラ３６を位置Ｐ１から位置Ｐ２に移動させると、図５（Ｂ）に示すように、試料支持部１０は、筒体２４の先端２５から距離Ｌ１よりも大きい距離Ｌ２離れる。さらに、移動用つまみ３３をまわし、ローラ３６を位置Ｐ２から位置Ｐ３に移動させると、図５（Ｃ）に示すように、試料支持部１０は、筒体２４の先端２５から距離Ｌ２よりも大きい距離Ｌ３離れる。すなわち、図示の例では、距離Ｌ１＜距離Ｌ２＜距離Ｌ３である。
【００４６】
このように、試料支持部１０は、試料支持部移動機構３０によって、軸方向Ａに沿って移動することができる。
【００４７】
なお、試料ホルダー１００は、移動用つまみ３３を回転させるための移動用つまみ駆動部（図示しない）を有していてもよい。移動用つまみ駆動部は、例えば、移動用つまみ３３を回転させるためのモーターを有し、このモーターを制御することによって、移動用つまみ３３を回転させてもよい。
【００４８】
１．２．  透過電子顕微鏡システム
（１）透過電子顕微鏡システムの構成
次に、本実施形態に係る透過電子顕微鏡システムの構成について図面を参照しながら説明する。本実施形態に係る透過電子顕微鏡システムは、本実施形態に係る試料ホルダーを含んで構成されている。
【００４９】
図６は、本実施形態に係る透過電子顕微鏡システム２００の構成を説明するための図である。ここでは、透過電子顕微鏡が、透過型電子顕微鏡（ＴＥＭ）の構成を有する場合について説明するが、電子顕微鏡は、走査透過型電子顕微鏡（Ｓｃａｎｎｉｎｇ  Ｔｒａｎｓｍｉｓｓｉｏｎ  Ｅｌｅｃｔｒｏｎ  Ｍｉｃｒｏｓｃｏｐｅ；ＳＴＥＭ）の構成を有していてもよい。なお、本実施形態に係る透過電子顕微鏡は、図６の構成要素（各部）の一部を省略した構成としてもよい。
【００５０】
透過電子顕微鏡システム１０００は、図６に示すように、本実施形態に係る試料ホルダー１００と、透過電子顕微鏡２００と、で構成されている。
【００５１】
透過電子顕微鏡２００は、電子線源２０１と、照射レンズ系２０２と、偏向器２０４と、ステージ移動機構２０７と、対物レンズ２０８と、投影レンズ２１０と、検出器２１２と、鏡筒２１４と、処理部２２０と、操作部２３０と、表示部２３２と、記憶部２３４と、情報記憶媒体２３６と、を含んで構成されている。
【００５２】
電子線源２０１、照射レンズ系２０２、偏向器２０４、対物レンズ２０８、投影レンズ２１０、検出器２１２は、鏡筒２１４の内部に収容されている。鏡筒２１４の内部は、排気装置（図示省略）によって減圧排気されている。
【００５３】
電子線源２０１は、陰極から放出された電子を陽極で加速し電子線を放出する。電子線源２０１の例として、公知の電子銃を挙げることができる。
【００５４】
照射レンズ系２０２は、電子線源２０１の後段に配置されている。照射レンズ系２０２は、複数の集束レンズ（図示省略）を含んで構成されている。照射レンズ系２０２は、試料Ｓに照射される電子線（入射電子線）の収束角を調整する。
【００５５】
偏向器２０４は、照射レンズ系２０２の後段に配置されている。偏向器２０４は、複数の偏向コイルと、当該複数の偏向コイルに流れる電流量を制御するための電流制御部（図示省略）とを有する。偏向器２０４は、電流制御部で各偏向コイルに流れる電流を制御することにより入射電子線を２次元的に偏向させる。
【００５６】
試料Ｓは、偏向器２０４の後段の試料室に配置される。試料ホルダー１００は、試料室において、試料Ｓを支持している。試料ホルダー１００に支持された試料Ｓは、ステージ移動機構２０７によって、水平方向や垂直方向に精度よく移動する。ステージ移動機構２０７の詳細については、後述する。
【００５７】
対物レンズ２０８は、試料Ｓの後段に配置されている。対物レンズ２０８は、試料Ｓを透過した電子線を結像させる。投影レンズ２１０は、対物レンズ２０８の後段に配置されている。投影レンズ２１０は、対物レンズ２０８によって結像された像をさらに拡大し、検出器２１２上に結像させる。
【００５８】
検出器２１２は、投影レンズ２１０の後段に配置されている。検出器２１２は、投影レンズ２１０によって結像された透過電子顕微鏡像を検出する。検出器２１２の例として、２次元的に配置されたＣＣＤ（Ｃｈａｒｇｅ  Ｃｏｕｐｌｅｄ  Ｄｅｖｉｃｅ）を受光部とするＣＣＤカメラを挙げることができる。検出器２１２が検出した透過電子顕微鏡像の像情報は、処理部２２０に出力される。
【００５９】
処理部２２０は、例えば、取得した像情報から透過電子顕微鏡像を生成する画像生成部２２２を有している。また、処理部２２０は、ステージ移動機構２０７を制御するためのステージ移動機構制御部２２４を有している。
【００６０】
ステージ移動機構制御部２２４は、ステージ移動機構２０７を制御して、試料支持部１０の位置を変更するステージ移動処理を行う。試料支持部１０は、後述するように、ステージ移動処理によって、試料支持部移動機構３０が試料支持部１０を移動させた方向とは反対方向に、試料支持部移動機構３０が試料支持部１０を移動させた距離だけ移動する。
【００６１】
ステージ移動機構制御部２２４は、試料支持部移動機構３０が試料支持部１０を移動させたタイミングに基づいて、ステージ移動処理を行う。
【００６２】
操作部２３０は、ユーザーが操作情報を入力するためのものであり、入力された操作情報を処理部２２０に出力する。操作部２３０の機能は、キーボード、マウス、タッチパネル型ディスプレイなどのハードウェアにより実現することができる。
【００６３】
表示部２３２は、処理部２２０によって生成された画像を表示するものであり、その機能は、ＬＣＤ、ＣＲＴなどにより実現できる。表示部２３２は、処理部２２０により生成された透過電子顕微鏡像を表示する。
【００６４】
記憶部２３４は、処理部２２０のワーク領域となるもので、その機能はＲＡＭなどにより実現できる。情報記憶媒体２３６（コンピュータにより読み取り可能な媒体）は、プログラムやデータなどを格納するものであり、その機能は、光ディスク（ＣＤ、ＤＶＤ）、光磁気ディスク（ＭＯ）、磁気ディスク、ハードディスク、或いはメモリ（ＲＯＭ）などにより実現できる。処理部２２０は、情報記憶媒体２３６に格納されるプログラムに基づいて本実施形態の種々の処理を行う。情報記憶媒体２３６には、処理部２２０の各部としてコンピューターを機能させるためのプログラムを記憶することができる。
【００６５】
図７は、透過電子顕微鏡２００に、試料ホルダー１００を、装着した状態を示す模式図である。図７では、便宜上、透過電子顕微鏡２００をＸＹ平面における断面図で示している。
【００６６】
試料ホルダー１００は、図７に示すように、試料室１に試料支持部１０が位置するように、透過電子顕微鏡２００に装着される。図示の例では、試料ホルダー１００は、軸方向ＡがＸ軸方向に沿うように装着される。ここで、Ｚ軸方向は、試料室１を通過する電子線の進行方向である。すなわち、電子線の光軸ＥＢは、Ｚ軸方向に沿う方向である。また、Ｘ軸、Ｙ軸、Ｚ軸は、互いに直交している。なお、ここでは、Ｘ軸、Ｙ軸、Ｚ軸が互いに直交している場合について説明するが、Ｘ軸，Ｙ軸，Ｚ軸は、例えば、互いに直交せずに、互いに交差していてもよい。試料ホルダー１００では、試料室１における試料支持部１０の位置が、ステージ移動機構２０７によって変更される。
【００６７】
ステージ移動機構２０７は、管状部材（以下「シフター」ともいう）７１０と、Ｘ移動機構７６０と、Ｙ移動機構７７０と、を含んで構成されている。
【００６８】
試料室１は、図７に示すように、壁部２によって囲まれている。シフター１０は、壁部２を貫通するように設けられたシフター支持部材７０４によって支持されている。シフター７１０は、試料室１に連通する孔７１２を有しており、試料ホルダー１００は、この孔７１２に移動可能に装着されている。Ｘ移動機構７６０は、試料支持部１０を、Ｘ軸方向に沿って移動させる。Ｙ移動機構７０は、シフター７１０を回動させることにより試料支持部１０をＹ軸方向に沿って移動させる。
【００６９】
透過電子顕微鏡２００では、試料Ｓ（試料支持部１０）を試料室１の所望の位置へ移動および静止させることができる。具体的には、透過電子顕微鏡２００では、試料ホルダー１００によって支持された試料Ｓを、移動機構７６０，７７０によってＸ，Ｙ軸方向に沿って直線的に移動させることができる。また、透過電子顕微鏡２００は、Ｚ移動機構（図示しない）によって、Ｚ軸方向に沿って試料Ｓを直線的に移動させてもよいし、傾斜機構（図示しない）によって、試料ＳをＸ軸周りに傾斜させてもよい。
【００７０】
試料室１は、減圧状態に維持可能である。試料室１は、公知のポンプ（図示しない）によって真空排気されることにより減圧状態に維持される。試料室１には、試料ホルダー１００によって試料Ｓが導入される。そして、試料室１において、試料Ｓに電子線が照射される。
【００７１】
シフター支持部材７０４は、壁部２を貫通する円筒状の部材である。シフター支持部材７０４には、シフター７１０が挿入されている。シフター支持部材７０４の試料室１側には、球面軸受部７０６が設けられている。球面軸受部７０６は、その内面が球面状に形成されている。
【００７２】
シフター７１０は、管状の部材であり、試料室１に連通する孔７１２を有している。図示の例では、孔７１２は、Ｘ軸方向に貫通している。孔７１２の形状は、例えば、円柱状であり、孔７１２の中心軸（図示しない）は、Ｘ軸と平行である。孔７１２には、試料ホルダー１００が装着される。これにより、試料ホルダー１００は、Ｙ軸方向およびＺ軸方向の移動が規制され、Ｘ軸方向に直線的に移動可能となる。試料ホルダー１００は、試料ホルダー１００の軸方向ＡとＸ軸方向とが、互いに平行となるように、孔７１２に装着される。シフター７１０の内側には、試料ホルダー１００を支持するベアリング７１４が設けられている。ベアリング７１４は、シフター７１０の両端部（孔７１２の開口付近）にそれぞれ設けられている。ベアリング７１４は、試料ホルダー１００のＸ軸方向への移動を円滑にすることができる。
【００７３】
シフター７１０は、試料室１側の端部に、球面部７１６を有する。球面部７１６の表面は、中心が孔７１２の中心軸上にある球面状に形成されている。球面部７１６は、球面軸受部７０６により支持される。球面軸受部７０６は、その内面が球面部７１６の表面に接するように形成されている。これにより、球面部７１６は、球面軸受部７０６に摺動可能に支持される。そのため、シフター７１０は、球面部７１６の中心を回動中心として、回動することができる。球面部７１６と球面軸受部７０６との間には、試料室１を気密に封止するためのＯリング７１９が設けられている。
【００７４】
Ｘ移動機構７６０およびＹ移動機構７７０は、試料室１における試料支持部１０の位置を変えることができる。すなわち、Ｘ移動機構７６０およびＹ移動機構７７０は、試料Ｓを試料室１の所望の位置へ移動および静止させるように、試料ホルダー１００を動作させる。
【００７５】
Ｘ移動機構７６０は、試料ホルダー１００をＸ軸方向に沿って移動させる。Ｘ移動機構７６０は、図７に示すように、レバー７６２と、Ｘモーター７６４と、平歯車対７６６と、Ｘ送りねじ７６８と、を含んで構成されている。
【００７６】
レバー７６２は、軸７６３を回転中心とするてこ式のレバーである。レバー７６２の試料室１側の端部には、ベアリング７６１が設けられ、ベアリング７６１を介して試料ホルダー１００（筒体２４）を支持している。ベアリング７６１は、ＹＺ平面内を転動することができる。そのため、試料Ｓ（試料支持部１０）のＹ軸方向への移動が円滑になる。試料ホルダー１００には、試料室１と大気との圧力差により、−Ｘ軸方向の力が働いている。そのため、試料ホルダー１００は、この力によってレバー７６２（ベアリング７６１）に押しつけられている。レバー７６２の試料室１側とは反対側の端部には、Ｘ送りねじ７６８が接している。
【００７７】
Ｘ送りねじ７６８は、Ｘモーター７６４の回転によって、Ｘ軸方向に直線的に移動する。このＸ送りねじ７６８の移動により、レバー７６２は、軸７６３を回転中心として回転し、試料支持部１０をＸ軸方向に直線的に移動させる。平歯車対７６６は、Ｘモーター７６４の回転をＸ送りねじ７６８に伝達することができる。ベローズ７６９は、試料室１を減圧状態に保ちつつ、レバー７６２の移動を円滑にすることができる。
【００７８】
Ｘ移動機構７６０による試料支持部１０の移動可能範囲（第１距離）は、電子線の光軸ＥＢを中心とした距離Ｄ１の範囲である。なお、Ｘ移動機構７６０による試料支持部１０の移動可能範囲とは、Ｘ移動機構７６０によって、試料支持部１０が、Ｘ軸方向に沿って移動することができる範囲（距離）をいう。具体的には、Ｘ移動機構７６０による試料支持部１０の移動可能範囲（距離Ｄ１）は、例えば、２ｍｍである。
【００７９】
Ｙ移動機構７７０は、Ｙモーター７７４と、平歯車対７７６と、Ｙ送りねじ７７８と、戻しばね７７９と、を含んで構成されている。Ｙ送りねじ７７８の先端は、図７に示すように、シフター７１０の−Ｙ軸方向側の外周面に接している。シフター７１０の＋Ｙ軸方向側の外周面には、戻しばね７７９が接している。シフター７１０は、戻しばね７７９によって、−Ｙ軸方向に付勢されている。Ｙ送りねじ７７８は、Ｙモーター７７４の回転によって、Ｙ軸方向に直線的に移動する。このＹ送りねじ７７８の移動により、シフター７１０は、球面部７１６の中心を回動中心として回動する。これにより、試料支持部１０をＹ軸方向に直線的に移動させることができる。平歯車対７７６は、Ｙモーター７７４の回転をＹ送りねじ７７８に伝達することができる。
【００８０】
Ｙ移動機構７７０による試料支持部１０の移動可能範囲（第３距離）は、電子線の光軸ＥＢを中心とした距離Ｄ３の範囲である。Ｙ移動機構７７０による試料支持部１０の移動可能範囲とは、Ｙ移動機構７７０によって、試料支持部１０が、Ｙ軸方向に沿って移動することができる範囲（距離）をいう。具体的には、Ｙ移動機構７７０による試料支持部１０の移動可能範囲（距離Ｄ３）は、例えば、２ｍｍである。
【００８１】
なお、透過電子顕微鏡２００は、さらに、試料支持部１０をＺ軸方向に移動させるＺ移動機構（図示せず）を有していてもよい。Ｚ移動機構は、Ｙ移動機構７７０と同様の構成であってもよい。
【００８２】
（２）  透過電子顕微鏡システムの動作
次に、本実施形態に係る透過電子顕微鏡システム１０００の動作について図面を参照しながら説明する。本実施形態に係る透過電子顕微鏡システム１０００は、試料ホルダー１００の試料支持部移動機構３０、および透過電子顕微鏡２００のステージ移動機構２０７（Ｘ移動機構７６０）によって試料支持部１０（試料Ｓ）を移動させて、試料Ｓの観察を行う。
【００８３】
図８は、本実施形態に係る透過電子顕微鏡システム１０００の動作を説明するための図である。なお、図８は、試料ホルダー１００に支持された試料Ｓを模式的に示す断面図であり、図７のＶＩＩＩ−ＶＩＩＩ線断面図である。以下、図６および図７に示す透過電子顕微鏡システム１０００および図８に示す試料Ｓを参照しながら説明する。
【００８４】
図８（Ａ）に示すように、試料Ｓは、試料室１内に試料支持部１０に支持された状態で導入される。試料ホルダー１００は、図５（Ａ）に示すように、ローラ３６がローラ案内孔３５の位置Ｐ１（図４参照）に位置している状態である。
【００８５】
ここで、試料支持部移動機構３０は、試料支持部１０を、Ｘ軸方向に、距離Ｄ１ずつ移動させるように設定されている。距離Ｄ１は、Ｘ移動機構７６０による試料支持部１０の移動可能範囲であり、例えば、２ｍｍである。すなわち、図５に示す距離Ｌ１、Ｌ２、Ｌ３は、｜Ｌ２−Ｌ１｜＝｜Ｌ３−Ｌ２｜＝Ｄ１の関係を有する。
【００８６】
また、試料支持部移動機構３０による試料支持部１０の移動可能範囲（第２距離）は、図示の例では、距離２×Ｄ１である。なお、試料支持部移動機構３０による試料支持部１０の移動可能範囲とは、試料支持部移動機構３０の動作によって、試料支持部１０が、Ｘ軸方向（軸方向Ａ）に沿って移動することができる範囲（距離）をいう。具体的には、試料支持部移動機構３０による試料支持部１０の移動可能範囲（第２距離）は、例えば、４ｍｍ（２×２ｍｍ）である。
【００８７】
図８に示す、試料Ｓの観察可能な領域のＸ軸方向の大きさＬｘは、Ｘ移動機構７６０による試料支持部１０の移動可能範囲（距離Ｄ１）よりも大きい。図示の例では、試料Ｓの大きさＬｘは、Ｘ移動機構７６０による試料支持部１０の移動可能範囲（距離Ｄ１）と、試料支持部移動機構３０による試料支持部１０の移動可能範囲（距離２×Ｄ１）との和、すなわち、距離３×Ｄ１である。具体的には、試料Ｓの大きさＬｘは、例えば、６ｍｍ（３×２ｍｍ）である。図示の例では、便宜上、試料Ｓを、３つの領域（第１領域Ｓ１，第２領域Ｓ２，第３領域Ｓ３）に分けて示している。各領域Ｓ１，Ｓ２，Ｓ３のＸ軸方向の大きさは、距離Ｄ１である。
【００８８】
この試料Ｓの大きさＬｘに対応して、試料支持部１０の開口部１１のＸ軸方向の大きさは、試料Ｓの大きさＬｘ以上である。図示の例では、開口部１１のＸ軸方向の大きさは、試料Ｓの大きさＬｘと同じである。具体的には、開口部１１のＸ軸方向の大きさは、例えば、６ｍｍ以上である。このように開口部１１が大きいため、大きな試料Ｓに対して、広い範囲の観察ができる。
【００８９】
図８（Ｂ）に示すように、透過電子顕微鏡２００のＸ移動機構７６０を用いて、試料Ｓの第１領域Ｓ１の観察を行う。具体的には、Ｘ移動機構７６０を用いて試料支持部１０を移動させながら、第１領域Ｓ１の＋Ｘ軸方向側の端部Ｓ１ａから第１領域Ｓ１の−Ｘ軸方向側の端部Ｓ１ｂまで観察を行う。したがって、第１領域Ｓ１の観察終了時には、電子線の光軸ＥＢは、端部Ｓ１ｂに位置する。
【００９０】
図８（Ｃ）に示すように、試料ホルダー１００の試料支持部移動機構３０によって、試料支持部１０を移動させる。本工程において、試料支持部移動機構３０は、図８（Ｃ）に示すように、試料支持部１０を、＋Ｘ軸方向に、距離Ｄ１移動させる。具体的には、例えば、ユーザーが移動用つまみ３３をまわすことによって、ローラ３６の位置を位置Ｐ１から位置Ｐ２に変える（図４参照）。これにより、試料ホルダー１００は、図５（Ｂ）に示すローラ３６がローラ案内孔３５の位置Ｐ２に位置している状態となる。したがって、試料支持部１０を、＋Ｘ軸方向に、移動させることができる。この結果、電子線の光軸ＥＢは、試料Ｓの第２領域Ｓ２の−Ｘ軸方向側の端部Ｓ２ｂに位置する。
【００９１】
本工程は、試料ホルダー１００が透過電子顕微鏡２００に装着された状態で行われる。なお、本工程は、試料ホルダー１００を透過電子顕微鏡２００から取り外した状態で行われてもよい。
【００９２】
図８（Ｄ）に示すように、試料支持部１０を、電子線の光軸ＥＢが第２領域Ｓ２の＋Ｘ軸方向側の端部Ｓ２ａ（第１領域Ｓ１の端部Ｓ１ｂ）に位置するように移動させる。具体的には、透過電子顕微鏡２００のステージ移動機構制御部２２４が、Ｘ移動機構７６０を制御して、試料支持部１０の位置を変更するステージ移動処理を行う。このステージ移動処理により、Ｘ移動機構７６０が、試料支持部１０を、図８（Ｃ）に示す工程で試料支持部移動機構３０が試料支持部１０を移動させた方向（＋Ｘ軸方向）とは反対方向（−Ｘ軸方向）に、試料支持部移動機構３０が移動させた距離（距離Ｄ１）だけ、移動させる。すなわち、ステージ移動処理によって、試料支持部１０は、−Ｘ軸方向に、距離Ｄ１だけ移動する。これにより、図８（Ｄ）に示すように、電子線の光軸ＥＢは、第２領域Ｓ２の＋Ｘ軸方向側の端部Ｓ２ａ（第１領域Ｓ１の端部Ｓ１ｂ）に位置する。すなわち、図８（Ｃ）工程において、試料支持部移動機構３０によって移動した試料支持部１０の移動分がキャンセルされる。
【００９３】
なお、ステージ移動機構制御部２２４は、試料支持部移動機構３０が試料支持部１０を移動させたタイミングに基づいて、ステージ移動処理を行う。具体的には、試料ホルダー１００の移動用つまみ３３をまわすと、これに連動して信号を出力する信号出力部（図示しない）が信号を出力し、この信号を受けてステージ移動機構制御部２２４がステージ移動処理を行ってもよい。
【００９４】
また、例えば、移動用つまみ３３をまわした後に、ユーザーが透過電子顕微鏡システム１０００に設けられたボタンを押すことで、ステージ移動機構制御部２２４がステージ移動処理を行ってもよい。図９は、表示部２３２および操作部２３０を模式的に示す図である。当該ボタンは、例えば、図９に示すように、表示部２３２に表示されたＧＵＩのボタンＳＷであってもよい。操作部２３０によって、ボタンＳＷをクリックすることで、ステージ移動機構制御部２２４がステージ移動処理を開始してもよい。
【００９５】
図８（Ｅ）に示すように、透過電子顕微鏡２００のＸ移動機構７６０を用いて、試料Ｓの第２領域Ｓ２の観察を行う。具体的には、Ｘ移動機構７６０を用いて試料支持部１０を移動させながら、第２領域Ｓ２の＋Ｘ軸方向側の端部Ｓ２ａから第２領域Ｓ２の−Ｘ軸方向側の端部Ｓ２ｂまで観察を行う。したがって、第２領域Ｓ２の観察終了時には、電子線の光軸ＥＢは、第２領域Ｓ２の端部Ｓ２ｂに位置する。
【００９６】
図示はしないが、試料Ｓの第３領域Ｓ３に対しても、領域Ｓ１，Ｓ２と同様に、試料支持部移動機構３０、Ｘ移動機構７６０、およびステージ移動機構制御部２２４を用いて観察を行う。
【００９７】
以上の工程により、試料Ｓの第１領域Ｓ１から第３領域Ｓ３まで連続した観察を行うことができる。
【００９８】
本実施形態に係る試料ホルダー１００および透過電子顕微鏡システム１０００は、例えば、以下の特徴を有する。
【００９９】
本実施形態に係る試料ホルダー１００によれば、試料支持部移動機構３０が、試料支持部１０を、Ｘ軸方向に、距離Ｄ１ずつ移動させることができる。ここで、距離Ｄ１は、Ｘ移動機構７６０による試料支持部１０のＸ軸方向の移動可能範囲である。これにより、透過電子顕微鏡において、Ｘ移動機構７６０による試料支持部１０のＸ軸方向の移動可能範囲よりも、広い範囲の観察ができる。したがって、例えば、大きな試料を、切断せずに観察することができる。
【０１００】
例えば、試料ホルダーが試料支持部移動機構を有さない場合、透過電子顕微鏡では、試料支持部の移動可能範囲は、ステージ移動機構によって移動可能な範囲に制限される。すなわち、観察可能な範囲は、ステージ移動機構によって移動可能な範囲に制限される。本実施形態によれば、試料ホルダー１００が試料支持部移動機構３０を有するため、Ｘ移動機構７６０（ステージ移動機構２０７）によって移動可能な範囲（距離Ｄ１）よりも広い範囲の観察ができる。
【０１０１】
具体的には、試料ホルダー１００によれば、透過電子顕微鏡２００において、Ｘ移動機構７６０による試料支持部１０のＸ軸方向の移動可能範囲（第１距離Ｄ１）と、試料支持部移動機構３０による試料支持部１０のＸ軸方向の移動可能範囲（第２距離）との和の範囲で観察ができる。
【０１０２】
また、試料支持部移動機構３０は、試料支持部１０を、距離Ｄ１ずつ移動させることができる。これにより、図８に示すように、広い範囲を連続して観察することができる。したがって、例えば、大きな試料を観察する際に、広い範囲を途切れることなく観察することができる。
【０１０３】
また、試料支持部移動機構３０は、上述したように、例えば、透過電子顕微鏡２００のＸ移動機構７６０と比べて、簡易な構成で実現できる。
【０１０４】
透過電子顕微鏡システム１０００によれば、ステージ移動機構制御部２２４が、Ｘ移動機構７６０を制御して、試料支持部１０の位置を変更するステージ移動処理を行うことができる。ステージ移動処理では、Ｘ移動機構７６０が、試料支持部１０を、試料支持部移動機構３０が試料支持部１０を移動させた方向とは反対方向に、試料支持部移動機構３０が移動させた距離だけ、移動させることができる。これにより、試料支持部移動機構３０によって移動した試料支持部１０の移動分をキャンセルできる。
【０１０５】
透過電子顕微鏡システム１０００によれば、ステージ移動機構制御部２２４は、試料支持部移動機構３０が試料支持部１０を移動させたタイミングに基づいて、ステージ移動処理を行うことができる。これにより、例えば、試料支持部移動機構３０による試料支持部１０の移動分を、自動的にキャンセルできる。
【０１０６】
２．  第２実施形態
２．１．  試料ホルダー
次に、第２実施形態に係る試料ホルダーについて説明する。図１０は、第２実施形態に係る試料ホルダー３００を模式的に示す断面図である。以下、第２実施形態に係る試料ホルダー３００において、上述した試料ホルダー１００の構成部材と同様の機能を有する部材については同一の符号を付し、その詳細な説明を省略する。
【０１０７】
試料ホルダー１００の例では、図２に示すように、試料支持部移動機構３０（以下、「第１試料支持部移動機構３０」ともいう）が、軸方向Ａに、試料支持部１０を移動させた。これに対して、試料ホルダー３００の試料支持部移動機構５０（以下、「第２試料支持部移動機構５０」ともいう）は、電子線の進行方向および軸方向Ａと直交する方向（第２方向）に、試料支持部１０を移動させる。図示の例では、電子線の進行方向は、Ｚ軸方向である。また、軸方向Ａは、Ｘ軸方向である。したがって、第２試料支持部移動機構５０が試料支持部１０を移動させる方向（第２方向）は、Ｙ軸方向である。
【０１０８】
試料ホルダー２００では、移動シャフト２２には、先端部近傍に球面部２２ａが設けられている。球面部２２ａの表面は、球面状に形成されている。また、筒体２４には、球面軸受部２４ａが設けられている。球面軸受部２４ａは、その内面が球面状に形成されている。球面部２２ａは、球面軸受部２４ａにより支持される。
【０１０９】
第２試料支持部移動機構５０は、モーター５２と、平歯車対５４と、送りねじ５６と、戻しばね５８と、を含んで構成されている。モーター５２および平歯車対５４は、収容部５１に収容されている。
【０１１０】
送りねじ５６の先端は、図１０に示すように、直動ガイド３２の−Ｙ軸方向側の外周面に接している。直動ガイド３２の＋Ｙ軸方向側の外周面には、戻しばね５８が接している。直動ガイド３２は、戻しばね５８によって、−Ｙ軸方向に付勢されている。
【０１１１】
送りねじ５６は、モーター５２の回転によって、Ｙ軸方向に直線的に移動する。平歯車対５４は、モーター５２の回転を送りねじ５６に伝達することができる。この送りねじ５６の移動により、直動ガイド３２は、Ｙ軸方向に移動する。直動ガイド３２の移動に伴って、移動シャフト２２は、球面部２２ａの中心を回動中心として回動する。これにより、試料支持部１０をＹ軸方向に直線的に移動させることができる。
【０１１２】
２．２．  透過電子顕微鏡システム
次に、第２実施形態に係る透過電子顕微鏡システムについて説明する。第２実施形態に係る透過電子顕微鏡システムは、第２実施形態に係る試料ホルダー３００と、透過電子顕微鏡と、を含む。なお、第２実施形態に係る透過電子顕微鏡システムにおいて、透過電子顕微鏡の構成は、図６および図７に示す透過電子顕微鏡２００の構成と同様である。
【０１１３】
図１１は、本実施形態に係る透過電子顕微鏡システムの動作を説明するための図である。なお、図１１（Ａ）〜（Ｅ）は、試料室１における試料ＳのＹＺ断面を模式的に示す断面図である。
【０１１４】
図１１（Ａ）に示すように、試料Ｓは、試料室１内に試料支持部１０に支持された状態で導入される。
【０１１５】
ここで、第２試料支持部移動機構５０は、試料支持部１０を、Ｙ軸方向に沿って距離Ｄ３ずつ移動させる。距離Ｄ３は、図７に示すように、Ｙ移動機構７７０による試料支持部１０の移動可能範囲であり、例えば、２ｍｍである。
【０１１６】
また、第２試料支持部移動機構５０による試料支持部１０の移動可能範囲（第４距離）は、図１１の例では、２×Ｄ３である。なお、第２試料支持部移動機構５０による試料支持部１０の移動可能範囲とは、第２試料支持部移動機構５０によって、試料支持部１０が、Ｙ軸方向に沿って移動することができる範囲（距離）をいう。具体的には、第２試料支持部移動機構５０による試料支持部１０の移動可能範囲（第４距離）は、例えば、４ｍｍ（２×２ｍｍ）である。
【０１１７】
図１１に示す、試料Ｓの観察可能な領域のＹ軸方向の大きさＬｙは、Ｙ移動機構７７０による試料支持部１０の移動可能範囲（距離Ｄ３）よりも大きい。図示の例では、試料Ｓの大きさＬｙは、Ｙ移動機構７７０による試料支持部１０の移動可能範囲（距離Ｄ３）と、第２試料支持部移動機構５０による試料支持部１０の移動可能範囲（距離２×Ｄ３）との和、すなわち、距離３×Ｄ３である。具体的には、試料Ｓの大きさＬｘは、例えば、６ｍｍ（３×２ｍｍ）である。図示の例では、便宜上、試料Ｓを、３つの領域（第４領域Ｓ４，第５領域Ｓ５，第６領域Ｓ６）に分けて示している。各領域Ｓ４，Ｓ５，Ｓ６のＹ軸方向の大きさは、距離Ｄ３である。
【０１１８】
この試料Ｓの大きさＬｙに対応して、試料支持部１０の開口部１１のＹ軸方向の大きさは、試料Ｓの大きさＬｙ以上である。図示の例では、開口部１１のＹ軸方向の大きさは、試料Ｓの大きさＬｙと同じである。具体的には、開口部１１のＹ軸方向の大きさは、例えば、６ｍｍである。
【０１１９】
図１１（Ｂ）に示すように、透過電子顕微鏡２００のＹ移動機構７７０を用いて、試料Ｓの第４領域Ｓ４の観察を行う。具体的には、例えば、Ｙ移動機構７７０を用いて試料支持部１０を移動させながら、第４領域Ｓ４の＋Ｙ軸方向側の端部Ｓ４ａから第１領域Ｓ１の−Ｘ軸方向側の端部Ｓ４ｂまで観察を行う。したがって、第４領域Ｓ４の観察終了時には、電子線の光軸ＥＢは、端部Ｓ４ｂに位置する。
【０１２０】
図１１（Ｃ）に示すように、試料ホルダー２００の第２試料支持部移動機構５０によって、試料支持部１０を移動させる。具体的には、第２試料支持部移動機構５０は、図１１（Ｃ）に示すように、試料支持部１０を、＋Ｙ軸方向に、距離Ｄ３移動させる。この結果、電子線の光軸ＥＢは、試料Ｓの第５領域Ｓ５の−Ｙ軸方向側の端部Ｓ５ｂに位置する。
【０１２１】
図１１（Ｄ）に示すように、試料支持部１０を、電子線の光軸ＥＢが第５領域Ｓ５の＋Ｙ軸方向側の端部Ｓ５ａ（第４領域Ｓ４の端部Ｓ４ｂ）に位置するように移動させる。具体的には、透過電子顕微鏡２００のステージ移動機構制御部２２４が、Ｙ移動機構７７０を制御して、試料支持部１０の位置を変更するステージ移動処理を行う。このステージ移動処理により、Ｙ移動機構７７０が、試料支持部１０を、図１１（Ｃ）に示す工程で第２試料支持部移動機構５０が試料支持部１０を移動させた方向（＋Ｙ軸方向）とは反対方向（−Ｙ軸方向）に、第２試料支持部移動機構５０が移動させた距離（距離Ｄ３）だけ、移動させる。すなわち、ステージ移動処理によって、試料支持部１０は、−Ｙ軸方向に、距離Ｄ３だけ移動する。これにより、図１１（Ｄ）に示すように、電子線の光軸ＥＢは、第５領域Ｓ５の＋Ｙ軸方向側の端部Ｓ５ａ（第４領域Ｓ４の端部Ｓ４ｂ）に位置する。すなわち、図１１（Ｃ）工程において、第２試料支持部移動機構５０によって移動した試料支持部１０の移動分がキャンセルされる。
【０１２２】
図１１（Ｅ）に示すように、透過電子顕微鏡２００のＹ移動機構７７０を用いて、試料Ｓの第５領域Ｓ５の観察を行う。具体的には、例えば、Ｙ移動機構７７０を用いて試料支持部１０を移動させながら、第５領域Ｓ５の＋Ｙ軸方向側の端部Ｓ５ａから第５領域Ｓ５の−Ｙ軸方向側の端部Ｓ５ｂまで観察を行う。したがって、第５領域Ｓ５の観察終了時には、電子線の光軸ＥＢは、第５領域Ｓ５の端部Ｓ５ｂに位置する。
【０１２３】
図示はしないが、試料Ｓの第６領域Ｓ６に対しても、領域Ｓ４，Ｓ５と同様に、第２試料支持部移動機構５０、Ｙ移動機構７７０、およびステージ移動機構制御部２２４を用いて観察する。
【０１２４】
以上の工程により、試料Ｓの第４領域Ｓ４から第６領域Ｓ６まで連続した観察を行うことができる。
【０１２５】
本実施形態に係る試料ホルダー３００および透過電子顕微鏡システムは、例えば、以下の特徴を有する。
【０１２６】
本実施形態に係る試料ホルダー３００によれば、第２試料支持部移動機構５０が、試料支持部１０を、Ｙ軸方向に、距離Ｄ３ずつ移動させることができる。ここで、距離Ｄ３は、Ｙ移動機構７７０による試料支持部１０のＹ軸方向の移動可能範囲である。これにより、透過電子顕微鏡において、Ｙ移動機構７７０による試料支持部１０のＹ軸方向の移動可能範囲よりも、広い範囲の観察ができる。したがって、例えば、大きな試料を、切断せずに観察することができる。
【０１２７】
具体的には、試料ホルダー３００によれば、透過電子顕微鏡２００において、Ｙ移動機構７７０による試料支持部１０のＹ軸方向の移動可能範囲（距離Ｄ３）と、試料支持部移動機構５０による試料支持部１０のＹ軸方向の移動可能範囲（第２距離）との和の範囲で観察ができる。
【０１２８】
また、第２試料支持部移動機構５０は、試料支持部１０を、距離Ｄ３ずつ移動させることができる。これにより、図１１に示すように、広い範囲を連続して観察することができる。したがって、例えば、大きな試料を観察する際に、広い範囲を途切れることなく観察することができる。
【０１２９】
なお、上述した実施形態は一例であって、これらに限定されるわけではない。
【０１３０】
例えば、上述した試料ホルダー１００の例では、第１試料支持部移動機構３０が、Ｘ軸方向に試料支持部１０を移動させ、上述した試料ホルダー３００の例では、第２試料支持部移動機構５０が、Ｙ軸方向に試料支持部１０を移動させたが、これらを組み合わせてもよい。すなわち、試料ホルダーが、第１試料支持部移動機構３０と、第２試料支持部移動機構５０と、を含んで構成されていてもよい。これにより、試料支持部移動機構３０，５０によって、試料支持部１０を、Ｘ軸方向およびＹ軸方向に移動させることができる。したがって、透過電子顕微鏡において、より広い範囲の観察ができる。
【０１３１】
また、上述した試料ホルダー１００の例では、第１試料支持部移動機構３０が、試料支持部１０を、Ｘ軸方向に、距離Ｄ１ずつ移動させた。これに対して、第１試料支持部移動機構３０は、試料支持部１０を、Ｘ軸方向に、距離Ｄ１よりも小さい距離ずつ移動させてもよい。この場合にも、上述した試料ホルダー１００の例と同様に、透過電子顕微鏡において、Ｘ移動機構７６０による試料支持部１０のＸ軸方向の移動可能範囲よりも、広い範囲の観察ができる。
【０１３２】
また、同様に、上述した試料ホルダー３００の例では、第２試料支持部移動機構５０が、試料支持部１０を、Ｙ軸方向に、距離Ｄ３ずつ移動させた。これに対して、試料支持部移動機構５０は、試料支持部１０を、Ｙ軸方向に、距離Ｄ３よりも小さい距離ずつ移動させてもよい。この場合にも、上述した試料ホルダー３００の例と同様に、透過電子顕微鏡において、Ｙ移動機構７７０による試料支持部１０のＹ軸方向の移動可能範囲よりも、広い範囲の観察ができる。
【０１３３】
また、上述した試料ホルダー１００の例では、第１試料支持部移動機構３０が、図２に示すように、直動ガイド３２と、移動用つまみ３３と、カム３４と、ローラ３６と、ローラガイド３８と、移動シャフト固定部４０と、を含んで構成されていた。第１試料支持部移動機構の構成は、試料室において、試料支持部をＸ軸方向に移動させることができればこれに限定されない。試料支持部移動機構は、例えば、移動シャフトにおねじを設け、直動ガイドにめねじを設け、直動ガイドを回転させることにより、移動シャフトを移動させて、Ｘ軸方向に沿って試料支持部を移動させる構成としてもよい。また、上述した試料ホルダー３００の第２試料支持部移動機構５０の構成についても、試料室において、試料支持部をＹ軸方向に移動させることができれば、限定されない。
【０１３４】
また、上述した透過電子顕微鏡システム１０００の例では、図８（Ｄ）に示すように、透過電子顕微鏡２００のステージ移動機構制御部２２４が、Ｘ移動機構７６０を制御して、試料支持部１０の位置を変更するステージ移動処理を行った。これに対して、ステージ移動機構制御部２２４が、ステージ移動処理を行わずに、ユーザーが、直接、Ｘ移動機構７６０を操作して、試料支持部１０の位置を変更してもよい。
【０１３５】
また、上述した第２実施形態に係る透過電子顕微鏡システムの例では、図１１（Ｄ）に示すように、透過電子顕微鏡２００のステージ移動機構制御部２２４が、Ｙ移動機構７７０を制御して、試料支持部１０の位置を変更するステージ移動処理を行った。これに対して、ステージ移動機構制御部２２４が、ステージ移動処理を行わずに、ユーザーが、直接、Ｙ移動機構７７０を操作して、試料支持部１０の位置を変更してもよい。
【０１３６】
なお、本発明は、実施の形態で説明した構成と実質的に同一の構成（例えば、機能、方法および結果が同一の構成、あるいは目的及び効果が同一の構成）を含む。また、本発明は、実施の形態で説明した構成の本質的でない部分を置き換えた構成を含む。また、本発明は、実施の形態で説明した構成と同一の作用効果を奏する構成又は同一の目的を達成することができる構成を含む。また、本発明は、実施の形態で説明した構成に公知技術を付加した構成を含む。
【符号の説明】
【０１３７】
Ｓ  試料、１  試料室、２  壁部、１０  試料支持部、１１  開口部、１２  支持板、
１４  板ばね、１６  ビス、１７  板ばね固定部、２０  軸部、２２  移動シャフト、
２４  筒体、２５  先端、３０  第１試料支持部移動機構、３１  ねじ、
３２  直動ガイド、３３  移動用つまみ、３４  カム、３５  ローラ案内孔、
３６  ローラ、３７  ねじ、３８  ローラガイド、３９  ねじ、
４０  移動シャフト固定部、４１  Ｏリング、５０  第２試料支持部移動機構、
５１  収容部、５２  モーター、５４  平歯車対、５６  送りねじ、５８  戻しばね、
１００  試料ホルダー、２００  透過電子顕微鏡、２０１  電子線源、
２０２  照射レンズ系２０２、２０４  偏向器、２０７  ステージ移動機構、
２０８  対物レンズ、２１０  投影レンズ、２１２  検出器、２１４  鏡筒、
２２０  処理部、２２２  画像生成部、２２４  ステージ移動機構制御部、
２３０  操作部、２３２  表示部、２３４  記憶部、２３６  情報記憶媒体、
７０４  シフター支持部材、７０６  球面軸受部、７１０  管状部材（シフター）、
７１２  孔、７１４  ベアリング、７１６  球面部、７１９  Ｏリング、
７６０  Ｘ駆動機構、７６１  ベアリング、７６２  レバー、７６３  軸、
７６４  Ｘモーター、７６６  平歯車対、７６８  Ｘ送りねじ、７６９  ベローズ、
７７０  Ｙ駆動機構、７７４  Ｙモーター、７７６  平歯車対、７７８  Ｙ送りねじ、
７７９  戻しばね、１０００  透過電子顕微鏡システム
【図１】
0005798393.tif 000002
【図２】
0005798393.tif 000003
【図３】
0005798393.tif 000004
【図４】
0005798393.tif 000005
【図５】
0005798393.tif 000006
【図６】
0005798393.tif 000007
【図７】
0005798393.tif 000008
【図８】
0005798393.tif 000009
【図９】
0005798393.tif 000010
【図１０】
0005798393.tif 000011
【図１１】
0005798393.tif 000012